【手続補正書】
【提出日】平成27年11月6日(2015.11.6)
【手続補正１】
【補正対象書類名】特許請求の範囲
【補正対象項目名】全文
【補正方法】変更
【補正の内容】
【特許請求の範囲】
【請求項１】
マッサージデバイスであって、
ａ）第１の横材端と第２の横材端との間に配置される長さを有する、横材と、
ｂ）対応するように、前記第１の横材端および前記第２の横材端に結合される、一対のハンドルと、
ｃ）対応するように、前記対のハンドルに回転可能に結合される、一対のローラアセンブリであって、前記対のローラアセンブリは、概して、前記対のハンドル間に隣接関係にあるように配置される、一対のローラアセンブリと
を備える、マッサージデバイス。
【請求項２】
前記対のハンドルはそれぞれ、
ａ）第１のハンドル端と第２のハンドル端との間に配置される、ハンドルグリップと、
ｂ）対応するように、前記第１のハンドル端および前記第２のハンドル端に結合される、一対の心棒支持体であって、前記対の心棒支持体は、前記ハンドルグリップから外向きに、ある距離だけ延在する、一対の心棒支持体と
を備え、
前記対のローラアセンブリの１つは、一対の心棒のそれぞれに回転可能に結合し、前記対の心棒はそれぞれ、対応するように、前記対の心棒支持体に結合する、第１の心棒端および第２の心棒端を有する、請求項１に記載のマッサージデバイス。
【請求項３】
前記対の心棒に回転可能に結合される、前記対のローラアセンブリはそれぞれ、前記対のローラアセンブリの１つの外側周縁と前記対のハンドルの１つとの間に貫通部を画定し、各前記貫通部は、十分な寸法関係を有し、手が、対応する１つの前記対のローラアセンブリの前記外側周縁に係合せずに、把持するように、前記ハンドルの前記ハンドルグリップに係合することを可能にする、請求項２に記載のマッサージデバイス。
【請求項４】
前記対のローラアセンブリはそれぞれ、複数のローラ要素を備え、前記複数のローラ要素はそれぞれ、離散するように、前記対の心棒の対応する１つに回転可能に結合される、請求項３に記載のマッサージデバイス。
【請求項５】
前記対の心棒はそれぞれ、線形構成を有し、前記対のローラアセンブリはそれぞれ、複数のローラ要素を有する、一体型ローラを備える、請求項３に記載のマッサージデバイス。
【請求項６】
前記一体型ローラは、一対の端部分間に配置される、中間部分を有し、前記中間部分における前記複数のローラ要素は、前記対の端部分のそれぞれにおける前記複数のローラ要素より小さい直径を有する、請求項５に記載のマッサージデバイス。
【請求項７】
前記複数のローラ要素は、前記心棒に沿って、離間係合を有する、請求項４に記載のマッサージデバイス。
【請求項８】
前記複数のローラ要素は、前記心棒に沿って、隣接係合を有する、請求項４に記載のマッサージデバイス。
【請求項９】
前記心棒は、前記第１の心棒端と前記第２の心棒端との間にある曲率量を有する、請求項４に記載のマッサージデバイス。
【請求項１０】
前記ローラ要素はそれぞれ、前記心棒に回転可能に係合されるハブ要素を中心として結合される、環状部材を含む、請求項４に記載のマッサージデバイス。
【請求項１１】
前記環状部材は、実質的に、剛性環状部材を備える、請求項１０に記載のマッサージデバイス。
【請求項１２】
前記環状部材は、弾力のある弾性環状部材を備える、請求項１０に記載のマッサージデバイス。
【請求項１３】
第１の対のハンドル支持体をさらに備え、前記第１の対のハンドル支持体はそれぞれ、第１のハンドル支持体端と第２のハンドル支持体端との間に配置される長さを有し、前記第１のハンドル支持体端は、対応するように、前記第１の横材端および前記第２の横材端に近接して枢動可能に結合され、前記第２のハンドル支持体端は、対応するように、前記第１のハンドル端に近接して枢動可能に結合される、請求項４に記載のマッサージデバイス。
【請求項１４】
第２の対のハンドル支持体をさらに備え、前記第２の対のハンドル支持体はそれぞれ、第１のハンドル支持体端と第２のハンドル支持体端との間に配置される長さを有し、前記第１のハンドル支持体端は、対応するように、前記第１の対のハンドル支持体から内向きに、前記横材に枢動可能に結合され、前記第２のハンドル支持体端は、対応するように、前記対の心棒支持体に枢動可能に結合される、請求項１３に記載のマッサージデバイス。
【請求項１５】
１つ以上の弾性要素をさらに備え、前記対のハンドルは、前記弾性要素に回転可能に応答し、前記対のローラアセンブリ間の距離を短縮させる、請求項１４に記載のマッサージデバイス。
【請求項１６】
前記横材は、より大きな距離を空けて離れるように、前記対のローラマッサージアセンブリを配置するように、力を込めた付勢に応じて、弾力的に撓曲する、請求項４に記載のマッサージデバイス。
【手続補正２】
【補正対象書類名】明細書
【補正対象項目名】０００８
【補正方法】変更
【補正の内容】
【０００８】
当然ながら、本発明のさらなる目的は、明細書の他の部分、図面、写真、および請求項全体を通して開示される。
本願明細書は、例えば、以下の項目も提供する。
（項目１）
マッサージの方法であって、
ａ）隣接関係にある閉鎖状態から、ある距離だけ離れた開放状態に向かって、一対のローラアセンブリを引っ張るステップであって、前記ローラアセンブリは、前記対のローラアセンブリを前記閉鎖状態に向かって戻るように作用する、１つ以上の弾性要素に応答する、ステップと、
ｂ）前記対のローラアセンブリを身体のマッサージ可能部分を中心として対向する関係に配置するステップと、
ｃ）前記対のローラアセンブリを前記閉鎖状態に向かって戻し、前記身体の前記マッサージ可能部分に係合させるステップと、
ｄ）前記身体の前記マッサージ可能部分上の前記対のローラアセンブリに進行を生じさせるステップと、
ｅ）前記身体の前記マッサージ可能部分をマッサージするステップと
を含む、方法。
（項目２）
対応するように、一対のハンドルに回転可能に結合される、前記対のローラアセンブリを取得するステップをさらに含み、前記対のハンドルは、対応するように、第１の横材端に近接して、かつ第２の横材端に近接して、横材に枢動可能に結合される、項目１に記載の方法。
（項目３）
前記弾性要素は、弾力的に可撓性である横材を備え、かつ弾力的に撓曲する前記横材をさらに備え、前記対のローラアセンブリを前記開放状態に向かって引っ張る、項目２に記載の方法。
（項目４）
前記弾性要素は、一対の延在バネを備え、それぞれ、前記横材に結合される、第１のバネ端を有し、それぞれ、前記対のハンドルの対応する１つの移動に応答する、第２のバネ端を有し、前記対の延在バネを伸展させ、前記対のローラアセンブリを前記開放状態に向かって引っ張るステップをさらに含む、項目２に記載の方法。
（項目５）
前記弾性要素は、一対のねじりバネを備え、それぞれ、前記横材に結合される、第１のバネ端を有し、それぞれ、前記対のハンドルの対応する１つの移動に応答する、第２のバネ端を有し、バネ軸を中心として、前記ねじりバネを捻転させ、前記対のローラアセンブリを前記開放状態に向かって引っ張るステップをさらに含む、項目２に記載の方法。
（項目６）
対応する一対の手と前記対のハンドルを把持するように係合させるステップをさらに含む、項目２に記載の方法。
（項目７）
ａ）前記対のローラアセンブリを前記開放状態に向かって引っ張るステップと、
ｂ）前記身体の前記マッサージ可能部分を中心として、前記対のローラアセンブリを対向する関係から除去するステップと、
ｃ）前記対のローラアセンブリを解放し、前記対のローラアセンブリを前記閉鎖状態に向かって戻すステップと
をさらに含む、項目２に記載の方法。
（項目８）
前記対のローラアセンブリを解放するステップは、対応するように、前記対のローラアセンブリに回転可能に結合される、一対のハンドルの把持係合を解放するステップを含む、項目７に記載の方法。
（項目９）
マッサージデバイスであって、
ａ）第１の横材端と第２の横材端との間に配置される長さを有する、横材と、
ｂ）対応するように、前記第１の横材端および前記第２の横材端に結合される、一対のハンドルと、
ｃ）対応するように、前記対のハンドルに回転可能に結合される、一対のローラアセンブリであって、概して、前記対のハンドル間に隣接関係にあるように配置される、一対のローラアセンブリと
を備える、デバイス。
（項目１０）
前記対のハンドルはそれぞれ、
ａ）第１のハンドル端と第２のハンドル端との間に配置される、ハンドルグリップと、
ｂ）対応するように、前記第１のハンドル端および前記第２のハンドル端に結合される、一対の心棒支持体であって、前記ハンドルグリップから外向きに、ある距離だけ延在する、一対の心棒支持体と
を備える、項目９に記載のマッサージデバイス。
（項目１１）
前記対のローラアセンブリの１つは、一対の心棒のそれぞれに回転可能に結合し、前記対の心棒はそれぞれ、対応するように、前記対の心棒支持体に結合する、第１の心棒端および第２の心棒端を有する、項目１０に記載のマッサージデバイス。
（項目１２）
前記対の心棒に回転可能に結合される、前記対のローラアセンブリはそれぞれ、前記対のローラアセンブリの１つの外側周縁と前記対のハンドルの１つとの間に貫通部を画定し、各前記貫通部は、十分な寸法関係を有し、手が、対応する１つの前記対のローラアセンブリの前記外側周縁に係合せずに、把持するように、前記ハンドルの前記ハンドルグリップに係合することを可能にする、項目１１に記載のマッサージデバイス。
（項目１３）
前記対のローラアセンブリはそれぞれ、複数のローラ要素を備え、前記複数のローラ要素はそれぞれ、離散するように、前記対の心棒の対応する１つに回転可能に結合される、項目１２に記載のマッサージデバイス。
（項目１４）
前記対の心棒はそれぞれ、線形構成を有し、前記対のローラアセンブリはそれぞれ、複数のローラ要素を有する、一体型ローラを備える、項目１２に記載のマッサージデバイス。
（項目１５）
前記一体型ローラは、一対の端部分間に配置される、中間部分を有し、前記中間部分における前記複数のローラ要素は、前記対の端部分のそれぞれにおける前記複数のローラ要素より小さい直径を有する、項目１４に記載のマッサージデバイス。
（項目１６）
前記複数のローラ要素はそれぞれ、直径約１インチ〜約３インチを有する、項目１３に記載のマッサージデバイス。
（項目１７）
前記複数のローラ要素はそれぞれ、厚さ約３／８インチ〜約１／２インチインチを有する、項目１６に記載のマッサージデバイス。
（項目１８）
前記複数のローラ要素は、前記心棒に沿って、離間係合を有する、項目１３に記載のマッサージデバイス。
（項目１９）
離間係合は、ローラ間空間約１／８インチ〜約１／２インチインチを備える、項目１８に記載のマッサージデバイス。
（項目２０）
前記複数のローラ要素のそれぞれの前記外側周縁は、円形外側周縁、楕円形外側周縁、六角形外側周縁、七角形外側周縁、八角形外側周縁から成る群から選択される、項目１３に記載のマッサージデバイス。
（項目２１）
前記複数のローラ要素は、前記心棒に沿って、隣接係合を有する、項目１３に記載のマッサージデバイス。
（項目２２）
前記心棒は、前記第１の心棒端と前記第２の心棒端との間にある曲率量を有する、項目１９に記載のマッサージデバイス。
（項目２３）
前記第１の心棒端と前記第２の心棒端との間の前記曲率量は、半径約１２インチ〜約３０インチを画定する、項目２２に記載のマッサージデバイス。
（項目２４）
前記ローラ要素はそれぞれ、前記心棒に回転可能に係合されるハブ要素を中心として結合される、環状部材を含む、項目１３に記載のマッサージデバイス。
（項目２５）
前記環状部材は、実質的に、剛性環状部材を備える、項目２４に記載のマッサージデバイス。
（項目２６）
前記環状部材は、弾力のある弾性環状部材を備える、項目２４に記載のマッサージデバイス。
（項目２７）
前記弾力のある弾性部材は、ポリウレタンエラストマーから形成される、項目２６に記載のマッサージデバイス。
（項目２８）
前記エラストマーは、硬度約５０Ａ〜約９０Ａを有する、項目２７に記載のマッサージデバイス。
（項目２９）
第１の対のハンドル支持体をさらに備え、前記第１の対のハンドル支持体はそれぞれ、第１のハンドル支持体端と第２のハンドル支持体端との間に配置される長さを有し、前記第１のハンドル支持体端は、対応するように、前記第１の横材端および前記第２の横材端に近接して枢動可能に結合され、前記第２のハンドル支持体端は、対応するように、前記第１のハンドル端に近接して枢動可能に結合される、項目１３に記載のマッサージデバイス。
（項目３０）
第２の対のハンドル支持体をさらに備え、前記第２の対のハンドル支持体はそれぞれ、第１のハンドル支持体端と第２のハンドル支持体端との間に配置される長さを有し、前記第１のハンドル支持体端は、対応するように、前記第１の対のハンドル支持体から内向きに、前記横材に枢動可能に結合され、前記第２のハンドル支持体端は、対応するように、前記対の心棒支持体に枢動可能に結合される、項目２９に記載のマッサージデバイス。
（項目３１）
１つ以上の弾性要素をさらに備え、前記対のハンドルは、前記弾性要素に回転可能に応答し、前記対のローラアセンブリ間の距離を短縮させる、項目３０に記載のマッサージデバイス。
（項目３２）
前記横材は、より大きな距離を空けて離れるように、前記対のローラマッサージアセンブリを配置するように、力を込めた付勢に応じて、弾力的に撓曲する、項目１３に記載のマッサージデバイス。
（項目３３）
前記１つ以上の弾性要素は、一対の延在バネを備え、それぞれ、前記横材に結合される、第１のバネ端を有し、それぞれ、前記対のハンドルの対応する１つの移動に応答する、第２のバネ端を有し、前記対の延在バネを伸展させ、前記対のローラアセンブリを前記開放状態に向かって引っ張るステップをさらに含む、項目３１に記載のマッサージデバイス。
（項目３４）
前記１つ以上の弾性要素は、一対のねじりバネを備え、それぞれ、前記横材に結合される、第１のバネ端を有し、それぞれ、前記対のハンドルの対応する１つの移動に応答する、第２のバネ端を有し、バネ軸を中心として、前記ねじりバネを捻転させ、前記対のローラアセンブリを引っ張られた状態に向かって引っ張るステップをさらに含む、項目３１に記載の方法。
（項目３５）
マッサージデバイスを生産する方法であって、
ａ）第１の横材端と第２の横材端との間に配置される長さを有する、横材を提供するステップと、
ｂ）一対のハンドルの１つを前記第１の横材端および前記第２の横材端のそれぞれに結合するステップと、
ｃ）一対のローラアセンブリの１つを前記対のハンドルのそれぞれに回転可能に結合するステップであって、前記対のローラアセンブリは、概して、前記対のハンドル間に隣接関係にあるように配置される、ステップと
を含む、方法。
（項目３６）
前記横材に、十分な弾力のある撓曲性を提供し、前記横材が、力を込めた付勢に応じて、より大きな距離を空けて離れるように、前記対のローラマッサージアセンブリを配置することを可能にするステップをさらに含む、項目３５に記載の方法。
（項目３７）
ａ）第１のハンドル端と第２のハンドル端との間にハンドルグリップを配置するステップと、
ｂ）一対の心棒支持体を１つずつ、前記第１のハンドル端および前記第２のハンドル端に結合するステップであって、前記対の心棒支持体は、前記ハンドルグリップから外向きにある距離だけ延在する、ステップと、
ｃ）心棒の第１の心棒端および第２の心棒端を前記対の心棒支持体の対応する１つに結合するステップと、
ｄ）前記対のアセンブリの１つを各前記心棒に回転可能に結合するステップと
をさらに含む、項目３５に記載の方法。
（項目３８）
前記対の心棒支持体によって、前記対のローラアセンブリの１つを前記対のハンドルの対応する１つに結合し、前記対のローラアセンブリの外側周縁と前記対のハンドルとの間に一対の貫通部を画定するステップをさらに含み、前記対の貫通部はそれぞれ、十分な寸法関係を有し、手が、対応する１つの前記対のローラアセンブリの前記外側周縁に係合せず、前記ハンドルの前記ハンドルグリップを把持するように係合することを可能にする、項目３７に記載の方法。
（項目３９）
複数のローラ要素として、前記対のローラアセンブリのそれぞれを提供するステップをさらに含み、前記複数のローラ要素はそれぞれ、離散するように、前記対の心棒の対応する１つに回転可能に結合される、項目３８に記載の方法。
（項目４０）
複数のローラ要素を有する一体型ローラとして、前記対のローラアセンブリのそれぞれを提供するステップをさらに含み、前記一体型ローラはそれぞれ、前記対の心棒の対応する１つに回転可能に結合される、項目３８に記載の方法。
（項目４１）
前記一体型ローラは、一対の端部分間に配置される、中間部分を有し、前記中間部分に、前記対の端部分のそれぞれにおける前記複数のローラ要素より小さい直径を有する、前記複数のローラ要素を提供するステップをさらに含む、項目４０に記載の方法。
（項目４２）
前記複数のローラ要素のそれぞれに、直径約１インチ〜約３インチを提供するステップをさらに含む、項目３９に記載の方法。
（項目４３）
前記複数のローラ要素のそれぞれに、厚さ約３／８インチ〜約１／２インチを提供するステップをさらに含む、項目４２に記載の方法。
（項目４４）
前記複数のローラ要素を前記心棒に沿って離間係合に配置するステップをさらに含む、項目４３に記載の方法。
（項目４５）
ローラ間空間約１／８インチ〜約１／２インチインチを提供するステップをさらに含む、項目４４に記載の方法。
（項目４６）
前記複数のローラ要素のそれぞれの前記外側周縁は、円形外側周縁、楕円形外側周縁、六角形外側周縁、七角形外側周縁、八角形外側周縁から成る群から選択される、項目４５に記載の方法。
（項目４７）
前記心棒に沿って隣接係合にある、前記複数のローラ要素を提供するステップをさらに含む、項目３９に記載の方法。
（項目４８）
ハブ要素を中心として結合される環状部材として、前記ローラ要素のそれぞれを提供するステップと、前記ハブ要素を前記心棒に回転可能に係合するステップとをさらに含む、項目３９に記載の方法。
（項目４９）
前記第１の心棒端と前記第２の心棒端との間の前記心棒を湾曲させるステップをさらに含む、項目３９に記載の方法。
（項目５０）
半径約１２インチ〜約３０インチを画定する、前記第１の心棒端と前記第２の心棒端との間にある曲率量を提供するステップをさらに含む、項目４９に記載の方法。
（項目５１）
実質的に、剛性環状部材として、前記環状部材を提供するステップをさらに含む、項目４８に記載の方法。
（項目５２）
弾力のある弾性環状部材として、前記環状部材を提供するステップをさらに含む、項目４８に記載の方法。
（項目５３）
前記弾力のある弾性部材は、ポリウレタンエラストマーから形成される、項目５２に記載の方法。
（項目５４）
前記エラストマーは、硬度約５０Ａ〜約９０Ａを有する、項目５３に記載の方法。
（項目５５）
第１のハンドル支持体端によって、前記第１の横材端および前記第２の横材端に近接して、第１の対のハンドル支持体を枢動可能に結合するステップと、前記第１のハンドル端および前記第２のハンドル支持体端に近接して、前記第１の対のハンドル支持体を枢動可能に結合するステップとをさらに含む、項目３９に記載の方法。
（項目５６）
前記第１のハンドル支持体端によって、前記第１の対のハンドル支持体および第２の対のハンドル支持体から内向きに、前記横材に枢動可能に結合するステップをさらに含み、前記第２のハンドル支持体端は、対応するように、前記対の心棒支持体に枢動可能に結合される、項目５５に記載の方法。
（項目５７）
１つ以上の弾性要素を提供するステップをさらに含み、前記対のハンドルは、前記弾性要素に回転可能に応答し、前記対のローラアセンブリ間の距離を閉鎖状態に向かって縮小させる、項目５６に記載の方法。
（項目５８）
一対の延在バネとして、前記弾性要素を提供するステップをさらに含み、それぞれ、前記横材に結合される、第１のバネ端を有し、それぞれ、前記対のハンドルの対応する１つの移動に応答する、第２のバネ端を有し、前記対の延在バネを伸展させ、前記対のローラアセンブリを前記開放状態に向かって引っ張るステップをさらに含む、項目５７に記載の方法。
（項目５９）
一対のねじりバネとして、前記弾性要素を提供するステップをさらに含み、それぞれ、前記横材に結合される、第１のバネ端を有し、それぞれ、前記対のハンドルの対応する１つの移動に応答する、第２のバネ端を有し、バネ軸を中心として、前記ねじりバネを捻転させ、前記対のローラアセンブリを引っ張られた状態に向かって引っ張るステップをさらに含む、項目５７に記載の方法。